(57)【要約】【課題】静電力によって被記録媒体を搬送し吸着保持するインクジェット記録装置において、インク滴のサテライトが記録ヘッドの吐出口形成面に付着することを防止する。【解決手段】静電吸着搬送ベルトである搬送ベルト１により記録用紙を搬送するインクジェット記録装置において、搬送ベルト１には複数の電極からなる電極パターンが埋め込まれている。電極パターンに対して電圧を印加するための給電部を記録用紙の搬送方向に沿って複数箇所に分割し、給電ブラシ７ａ、７ｂとして設ける。少なくとも記録用紙の最も先端部または最も後端部を吸着するための電極に給電するように制御を行う。その他の電極については、記録ヘッドに対向する位置にあるときには給電を行わない。【選択図】図１
2009234736.tif 000002
【特許請求の範囲】
【請求項１】
複数の電極を有する電極パターンが形成されている静電吸着搬送ベルトにより被記録媒体の搬送を行うインクジェット記録装置において、
前記電極パターンに対して電圧を印加するための給電部を備え、
前記給電部は前記被記録媒体の搬送方向に沿って複数の箇所で分割されており、分割された各給電部は、静電吸着搬送ベルトにおいて電極ごとに設けられた被給電部を介して前記電極パターンの中の対応する電極に電気的に接続し、
前記静電吸着搬送ベルトを動かしながら前記給電部を介して前記電極パターンに電圧を印加することにより前記被記録媒体を前記静電吸着搬送ベルトに静電吸着させて前記被記録媒体を搬送するに際し、前記被記録媒体の先端部の位置に対応する電極と前記被記録媒体の後端部の位置に対応する電極の少なくとも一方に対して給電するように制御が行われることを特徴とする、インクジェット記録装置。
【請求項２】
前記静電吸着搬送ベルトに対向するように設けられて前記被記録媒体に対して記録を行う記録ヘッドをさらに備え、
前記電極パターンに含まれる電極のうち、前記被記録媒体の先端部の位置に対応する電極と前記被記録媒体の後端部の位置に対応する電極とを除く電極に対し、当該電極が前記記録ヘッドのノズル列に対向する位置にあるときには、前記ノズル列に対向する位置での前記被記録媒体の表面電位が接地電位となるように制御を行う、請求項１に記載のインクジェット記録装置。
【請求項３】
複数の電極を有する電極パターンが形成されている静電吸着搬送ベルトにより被記録媒体の搬送を行うインクジェット記録装置において、
前記静電吸着搬送ベルトに対向するように設けられて前記被記録媒体に対して記録を行う記録ヘッドと、
前記電極パターンに対して電圧を印加するための給電部と、
を備え、
前記給電部は前記被記録媒体の搬送方向に沿って複数の箇所で分割されており、分割された各給電部は、静電吸着搬送ベルトにおいて電極ごとに設けられた被給電部を介して前記電極パターンの中の対応する電極に電気的に接続し、
前記静電吸着搬送ベルトを動かしながら前記給電部を介して前記電極パターンに電圧を印加することにより前記被記録媒体を前記静電吸着搬送ベルトに静電吸着させて前記被記録媒体を搬送するに際し、前記電極パターンに含まれる電極のうち、前記被記録媒体の先端部の位置に対応する電極と前記被記録媒体の後端部の位置に対応する電極とを除く電極に対し、当該電極が前記記録ヘッドのノズル列に対向する位置にあるときには、前記ノズル列に対向する位置での前記被記録媒体の表面電位が接地電位となるように制御が行われることを特徴とする、インクジェット記録装置。
【請求項４】
複数の電極を有する電極パターンが形成されている静電吸着搬送ベルトにより被記録媒体の搬送を行うインクジェット記録装置において、
前記静電吸着搬送ベルトに対向するように設けられて前記被記録媒体に対して記録を行う記録ヘッドと、
前記電極パターンに対して電圧を印加するための給電部であって、前記被記録媒体の搬送方向に沿って複数の箇所で分割されており、分割された各給電部は、静電吸着搬送ベルトにおいて電極ごとに設けられた被給電部を介して前記電極パターンの中の対応する電極に電気的に接続する給電部と、
前記静電吸着搬送ベルトを動かしながら前記給電部を介して前記電極パターンに電圧を印加することにより前記被記録媒体を前記静電吸着搬送ベルトに静電吸着させて前記被記録媒体を搬送するに際し、前記電極パターンに含まれる電極のうち、前記被記録媒体の先端部の位置に対応する電極と前記被記録媒体の後端部の位置に対応する電極とを除く電極に対し、当該電極が前記記録ヘッドのノズル列に対向する位置にあるときには、前記ノズル列に対向する位置での前記被記録媒体の表面電位が接地電位となるように制御を行う制御部と、
を有することを特徴とする、インクジェット記録装置。
【請求項５】
前記制御部は、前記被記録媒体の先端部の位置に対応する電極と前記被記録媒体の後端部の位置に対応する電極に対し、当該電極が前記記録ヘッドのノズル列に対向する位置にあるときには、当該電極以外の電極であって前記対向する位置になくかつ前記被記録媒体を静電吸着するために電圧が印加されている電極の印加電圧よりも小さな電圧を印加する、請求項４に記載のインクジェット記録装置。
【請求項６】
前記制御部は、前記被記録媒体の先端部の位置に対応する電極と前記被記録媒体の後端部の位置に対応する電極に対し、当該電極が前記記録ヘッドのノズル列に対向する位置にあるときには、当該電極以外の電極であって前記対向する位置になくかつ前記被記録媒体を静電吸着するために電圧が印加されている電極の印加電圧よりも大きな電圧を印加する、請求項４に記載のインクジェット記録装置。
【請求項７】
被記録媒体に向けて液体を吐出することで記録を行うための記録ヘッドと、前記記録ヘッドに対向する位置を通過するように前記被記録媒体を搬送する搬送手段とを備えるインクジェット記録装置において、
前記記録ヘッドと対向する位置に設けられ、前記被記録媒体を静電気力によって吸着しする吸着力発生手段を有し、
前記吸着力発生手段は、前記被記録媒体を静電吸着するための第１の電圧値及び第２の電圧値がそれぞれ印加される第１の電極部材及び第２の電極部材と、前記記録ヘッドのノズル列に対向する位置に設けられた第３の電極部材とを備え、
前記搬送手段によって前記被記録媒体を駆動して前記吸着力発生手段の上で前記被記録媒体を滑り動かすことによって前記被記録媒体が搬送され、
前記第３の電極部材には、前記第３の電極部材に対応する位置における前記被記録媒体の表面電位が接地電位となるような第３の電圧値が印加されることを特徴とする、インクジェット記録装置。
【請求項８】
被記録媒体に向けて液体を吐出することで記録を行うための記録ヘッドと、前記記録ヘッドに対向する位置を通過するように前記被記録媒体を搬送する搬送手段とを備えるインクジェット記録装置において、
前記記録ヘッドと対向する位置に設けられ、前記被記録媒体を静電気力によって吸着しする吸着力発生手段を有し、
前記吸着力発生手段は、前記被記録媒体を静電吸着するための第１の電圧値及び第２の電圧値がそれぞれ印加される第１の電極部材及び第２の電極部材と、前記記録ヘッドのノズル列に対向する位置に設けられた第３の電極部材とを備え、
前記搬送手段によって前記被記録媒体を駆動して前記吸着力発生手段の上で前記被記録媒体を滑り動かすことによって前記被記録媒体が搬送され、
前記第３の電極部材には、前記第３の電極部材に対応する位置に前記被記録媒体の先端部が位置しないときには前記被記録媒体の表面電位が接地電位となるような第３の電圧値が印加され、前記第３の電極部材に対応する位置に前記先端部が位置するときには前記被記録媒体を静電吸着するための第４の電圧値が印加されることを特徴とする、インクジェット記録装置。
【発明の詳細な説明】
【技術分野】
【０００１】
本発明は、静電吸着によって被記録媒体を安定して担持させる装置を備え、シート材である被記録媒体を連続的に搬送しながら記録手段からこの被記録媒体にインクを吐出することで記録を行うインクジェット記録装置に関する。特に本発明は、被記録媒体とほぼ同じ幅の吐出領域を有する長尺のインクジェットヘッドを１本以上用い、被記録媒体を搬送するとともに電極部材を用いて静電吸着し、インク滴を被記録媒体に吐出することで高速な印字が可能なインクジェット記録装置に関する。
【背景技術】
【０００２】
プリンタ、複写機、ファクシミリ等の画像形成装置（すなわち記録手段を有する装置）は、画像情報に基づいて、紙やプラスチック薄板等の被記録媒体上にドットパターンから成る画像を形成していくように構成されている。このような画像形成装置は、記録方式により、インクジェット式、ワイヤドット式、サーマル式、レーザービーム式等に分けることができ、そのうちのインクジェット式のものは、被記録媒体にインクを吐出させて画像を形成するように構成されている。
【０００３】
このような画像形成装置においては、被記録媒体をカセットなどの給紙部から画像形成部（記録部）を通して排紙部まで搬送する必要がある。その場合、被記録媒体は、給紙されてから画像が形成され排紙されるまで、常に一定のタイミングで搬送されるように制御される。そのうち、給紙タイミングから画像形成までの期間では、被記録媒体上の画像の形成位置に影響するので、特に正確な被記録媒体の搬送が要求される。また、画像形成中では、被記録媒体の搬送速度が一定でないと画像の倍率のズレが生じ、画像の伸び縮みが生じてしまう。特に、カラー用など複数の画像形成部（記録ヘッド）を併置した画像形成装置の場合には、それぞれの画像形成部で記録される画像間でのズレが生じてしまう。このズレは、カラー画像記録装置の場合は、色ズレとなって現れ、画像欠陥となってしまう。このような不具合を防止するためには、搬送手段を精度よく制御するとともに、その搬送手段の搬送力を被記録媒体に対して正確に伝達することが必要である。
【０００４】
このような点を考慮に入れた搬送系として、従来、種々の搬送機構あるいは搬送方法が提案されている。例えば、ローラ対によって被記録媒体を送り出し、ガイドによって搬送方向に規制する方法がある。この方法は、ローラ間の圧力で被記録媒体を送り出すため、搬送力が強く、簡単で確実な方法である。図１３を参照して、ローラ対を用いる搬送方法を簡単に説明する。この図は、ロール状の被記録媒体を搬送する例を示している。ロール状の被記録媒体３８０が、ローラ対３８１、３８２、３８３、３８４、３８５を用いて、図中矢印の向きに搬送されている。記録ヘッド３０５、３０６、３０７、３０８が設けられており、被記録媒体を搬送しながら、記録ヘッド３０５、３０６、３０７、３０８からインク滴を吐出することで、被記録媒体３８０上での画像の形成が行なわれる。被記録媒体３８０と記録ヘッド３０５、３０６、３０７、３０８の吐出口形成面との距離を一定に保つために、吸着部材３８６、３８７、３８８、３８９が設けられている。吸着部材は、例えば、エアー吸引や、あるいは静電気力などにより、被記録媒体３８０に対する吸着力を発生する。
【０００５】
しかしながら、ローラ対による搬送方法では、使用する被記録媒体の最小長より短かい間隔でローラ対を配置する必要があり、したがってこの方法は、例えばハガキや名刺サイズの用紙などの小型の用紙を搬送するのには不向きである。また、電子写真方式の画像形成装置におけるドラムで転写されてから定着に至るまでの区間のように、記録面を非接触状態に保つ必要がある場合には使用できないという課題もある。
【０００６】
これらを解決する搬送装置として、エンドレスベルトからなる搬送ベルト部材を使用し、静電吸着により被記録媒体を搬送ベルト部材に密着させる方式の搬送装置が提案されている。この静電吸着によるベルト式の搬送装置にあっては、特に複数の画像形成手段（記録ヘッド）を使用するカラー画像形成装置などの場合、各画像形成手段の画像形成位置を正確にするために、ベルトの搬送速度を精密に保つ必要がある。それに加えて、被記録媒体を搬送部材（ベルトやドラムなど）上でずれたり浮いたりすることなく密着させておく必要がある。
【０００７】
その手段として、特開昭５０−３１８２８号公報（特許文献１）、特公平３−４８１００号公報（特許文献２）に記載されているように、記録紙を担持する搬送ベルト自体に導電性の電極対（静電吸着力を発生する手段）を設ける方法が知られている。この方法では、搬送ベルトに設けられた電極に電荷を与えて静電気力を発生させ、発生させた静電気力によって記録紙を搬送ベルトに吸着させる。
【０００８】
このような記録紙搬送手段を有するインクジェット記録装置において、給紙装置によって給紙されてきた被記録媒体は、記録領域において搬送ベルトに設けられた上記のような静電吸着手段（導電性の電極）によって搬送ベルト上面に吸着、保持される。被記録媒体は、記録ヘッドによって記録されながら搬送される。
【０００９】
しかしながら、上述した従来の被記録媒体を静電力によりベルト上に吸着保持する構成にあっては、被記録媒体表面と記録ヘッド表面との間に電界が生じ、この電界が記録ヘッドから吐出されたインク液滴に影響を及ぼし、記録が良好に行えないことがある。具体的には、インクジェット記録ヘッドがインク滴を吐出したときに、被記録媒体に着弾して画像を形成する主インク滴の他に、吐出されたインク液滴の分裂によって、被記録媒体に到達せずに空中を浮遊するミスト状の微小なインク滴が発生する。このようなミスト状の微小なインク滴のことをサテライトあるいはミストと呼ぶ。記録ヘッドと被記録媒体との間に電界が存在すると、発生したサテライトが電界により誘導されて、その飛翔方向を反転して記録ヘッド側に向かい、記録ヘッドの吐出口形成面に付着することがある。これは、サテライトが上記の電界の作用によって被記録媒体と同極性に帯電していることが多く、被記録媒体との間に反発力を生じるからである。記録ヘッドの吐出口形成面にサテライトが付着すると、付着したサテライトが吐出口からのインク滴の吐出を阻害し、不吐出状態が発生しやすくなる。こうした不吐出状態の発生は、被記録媒体上に形成された画像の劣化を生じさせ、つまりは記録装置の信頼性を低下させることになる。
【００１０】
サテライトが記録ヘッドに付着することによるインク滴の不吐出状態の発生について、さらに詳しく説明する。サテライトが記録ヘッドに付着すると、吐出口から記録媒体に向かって飛翔するインクの量が、図１４（ａ）に示すように電界のない場合、すなわち記録媒体の吸着保持に静電力を用いない場合に比べて少なくなり、所定サイズのドットを形成できなる。また、図１４（ｂ）に示すように、上述のように電界の影響によって記録ヘッド側へ向かうサテライトは記録ヘッドの吐出口面、特に吐出口付近に付着し、その後の吐出に悪影響を及ぼすという問題も生じる。例えばサテライトが吐出口面の吐出口付近に付着すると、以後の正常なインクの吐出が妨げられ、インクの吐出方向が偏向したり（ヨレ）、インクの不吐出等の吐出不良を生じる。インクに水性のものを使用する場合、吐出口面を撥水処理することによりある程度はサテライトの付着を防ぐことができるが、撥水処理だけでは不十分なこともある。また、プリント性向上や記録結果の耐水性を向上するために、インクを不溶化する処理液（「プリント性向上液」ともいう）を用いる場合は、そのサテライトが吐出口面でインクと反応してこれを不溶化し、比較的重大な吐出不良をもたらすこともある。
【００１１】
上述の問題点を図１５および図１６を参照してさらに具体的に説明する。図１５はインクジェット記録装置の一従来例の概略構成を示す側断面図である。このインクジェット記録装置では、電源５２から約＋２ｋＶの電圧が印加される帯電ローラ５４が、被記録媒体５０の搬送手段を構成する搬送ベルト５１に当接することにより、この搬送ベルト５１を正（＋）に帯電させる。そして、搬送ローラ５３によってこの帯電した搬送ベルト５１に被記録媒体５０が送り込まれると、搬送ベルト５１に生じている静電力によって記録媒体５０は搬送ベルト５１に吸着、保持され、図示矢印Ａ方向に搬送される。この際、搬送ベルト５１によって搬送される被記録媒体５０に当接するよう設けられた弾性電極５６を介して、被記録媒体５０が接地される。これにより、被記録媒体５０がより強く搬送ベルト５１に吸着、保持されて、４本の記録ヘッド５７に対向する位置まで搬送される。そして、各記録ヘッド５７からそれぞれブラック（記録ヘッド５７Ｂｋ）、イエロー（記録ヘッド５７ｙ）、マゼンタ（記録ヘッド５７ｍ）、シアン（記録ヘッド５７ｃ）の各色のインクが吐出されて被記録媒体５０に記録が行われる。
【００１２】
この従来のインクジェット記録装置では、実験によれば、被記録媒体５０の表面は約＋８００Ｖの電位となり、この電位によって記録ヘッドとの間に上述の電界を生じる。一方、図１６（ａ）〜（ｄ）にそれぞれ示すように、各記録ヘッド５７（５７Ｂｋ、５７ｙ、５７ｍ、５７ｃ）より吐出されたインク滴は上記電界の影響によって分極し、主滴とサテライトとに分裂することがある。この場合、サテライトは被記録媒体５０と同極性に帯電していることが多い（図１６（ｃ））。そしてプラスに帯電したサテライトは、プラス電荷が誘起されている記録媒体５０と反発して各記録ヘッド５７へ向かい、その吐出口面３１の吐出口３０付近に付着しやすくなる。そして、このようにサテライトが吐出口面３１に付着すると、上述したように正常なインクの吐出が妨げられ、時にはインクの吐出が行われなくなるおそれがある。
【００１３】
なお、このサテライトの付着は、一般に、帯電ローラ５４に印加される電圧が高いほど、また、記録密度が高いほど著しく、高密度記録の妨げともなっていた。また、特にサテライトの付着は、図１５に示したような、記録領域の全幅にわたって複数の吐出口を備えているフルラインヘッドを用いたフルライン記録あるいはカラー記録において顕著である。
【００１４】
図１６（ａ）〜（ｄ）を参照して、インクが吐出口付近に付着する現象についてさらに具体的に説明する。図１６（ａ）は吐出液滴形成直前の様子を示す説明図である。搬送ベルト５１に対し、＋２ｋＶ程度の電圧（高圧電源５２によって印加）が印加されている導電ゴムからなる帯電ローラ５４を接触させ、搬送ベルト５１上にプラス電荷を帯電させる。そして被記録媒体５０を搬送ベルト５１に密着させることによって被記録媒体５０の搬送ベルト５１と折衝する側にマイナス電荷が誘起され、これにより被記録媒体５０と搬送ベルト５１との間に吸着力が発生する。一方、被記録媒体５０の搬送ベルト５１側でない側、すなわち記録ヘッド５７（５７Ｂｋ、５７ｙ、５７ｍ、５７ｃ）と対向する側には上記マイナス電荷に伴なってプラス電荷が誘起される。これにより記録ヘッド５７（５７Ｂｋ、５７ｙ、５７ｍ、５７ｃ）との間に電位差が生じ、電界が形成される。この状態で、記録ヘッド５７（５７Ｂｋ、５７ｙ、５７ｍ、５７ｃ）が備える記録素子を発熱させて形成される気泡の圧力によって形成される液柱６０に、被記録媒体５０上のプラス電荷と反対電荷であるマイナス電荷が誘起される。そして吐出により空中に液滴６１が飛翔し始めるときの現象を示す図１６（ｂ）に示す通り、液滴６１は前述の電界の作用を受けて分極する。
【００１５】
そして、次の段階では、図１６（ｃ）に示す通り、それぞれマイナスに帯電した主滴６２およびサテライト６３−１と、プラスに帯電したサテライト６３−２とに分離する。そして図１６（ｄ）に示す通り、主滴６２は運動エネルギーが大きいので、被記録媒体５０に着弾する。しかしながらプラスに帯電したサテライト６３−２は、プラス電荷が誘起されている記録媒体５０の表面と反発して吐出面３１方向へその飛翔方向を反転して吐出口３０付近に付着する。そして前述した通りの問題点を生ずる原因となる。
【００１６】
これらの問題点を解決するために、特開平１１−２４５３８９号公報（特許文献３）においては、図１７〜２０に示すような構成としている。
【００１７】
図１７（ａ）〜（ｃ）は搬送ベルトの詳細な構造を示すそれぞれ移動するベルトの上方、前方および側方からみた断面図である。
【００１８】
搬送ベルトは積層構造を有し、基材２０１が最下層を形成する。その上に、導電パターン２０２と電極２０４が配置される。さらに導電パターンの上には誘電体よりなる誘電層２０５が重ねられ、導電パターン２０２は誘電層２０５と基材２０１により挟まれる構造となる。電極２０４上部には誘電層２０５は設けられず、これによってベルト移動に伴なう電極２０４と上述した帯電ブラシとの接触が可能となる。図１７（ａ）からも明らかなように、導電パターンは短冊状をなし、同図中矢印で示される用紙搬送方向に対し垂直に、かつそれぞれは所定の間隔を置いて配置される。導電パターン２０２に電圧を供給するための電極２０４は各導電パターン２０２の端部に設けられるが、そのパターンの配列においてベルトの幅方向で交互に異なる側の端部に配置される。これにより、導電パターン交互に異なる電圧を印加することが可能となる。
【００１９】
図１８〜２０は、搬送ベルトに対する帯電ブラシを介した給電のための構成を説明する図である。なお、これらの図において、２つの記録ヘッド１２４および１２５の周辺構成のみが示され、また、搬送ベルトについてはそれぞれ断面が示されている。
【００２０】
図１８において、用紙吸着に用いる第１の電源の内、用紙搬送方向の上流に向かって右側の電極２０４を介して印加する電圧はＶＰ１１電源４０６より供給し、同左側の電極２０４を介して印加する電圧はＶＰ１２電源４０７より供給する。また、記録ヘッド１１９〜１２５に印加する電圧は電源ＶＨ４１２による。
【００２１】
一方、各記録ヘッドの直下に配置する導電パターン４０２に電圧を印加するための電源はＶＰ２電源４１１である。
【００２２】
ＶＰ１１電源４０６に接続されるＶＰ１帯電ブラシ１３１は、搬送ベルト１０５の移動に伴ない電極２０４と接触することにより、その導電パターン２０２に電圧を印加することができる。電極の設けられる位置が導電パターンの配列において交互に異なることで、１パターンおきにＶＰ１１電源４０６による電圧が導電パターン２０２に印加される。同様に、ＶＰ１２電源４０７により、上記とは補完的な１パターンおきの導電パターン２０２に所定の電圧を印加できる。すなわち、図に示すように帯電ブラシを用紙搬送方向に沿って配置することで各電極に所定の電圧を印加することができる。この例では導電パターンは偶数個設けられ、従って、搬送ベルトの一周で左右の電極の数が同じになるように構成される。
【００２３】
記録ヘッドの直下部分の導電パターンに対しては、ＶＰ２電源４１１により用紙吸着用でない電圧がＶＰ２帯電ブラシ１３２を介して印加される。ＶＰ２帯電ブラシ１３２は記録ヘッドのノズル列方向における両側にそれぞれ配置されている。これにより搬送ベルトの移動によって次の導電パターンが記録ヘッド直下に来る前にＶＰ２帯電ブラシ１３２を介したＶＰ２電源によって所定の電圧を常に印加できるよう構成されている。なお、以上の電圧を印加する構成にあっては、同一の電極に対し用紙吸着のための電力を供給するためのＶＰ１帯電ブラシ１３１とＶＰ２帯電ブラシ１３２の２種のブラシが同時に接触しないようにそれらの位置関係が定められている。
【００２４】
図１９は図１８に示した各々の電源の設定例を説明する図である。
【００２５】
同図は記録ヘッドに電力を供給するためのＶＨ電源４１２とヘッド直下の導電パターンに電力を供給するＶＰ２電源による電位を等しくした場合の構成例である。すなわち、本例では、ＶＰ１１電源４０６にプラス極性、ＶＰ１２電源４０７にマイナス極性を与えている。さらに、ＶＰ２電源４１１およびＶＨ電源４１２による電位を、ＶＰ１１電源４０６のマイナス側の電極、および、ＶＰ１２電源４０７のプラス側の電極に結線して得られるものとしている。このとき、図示するように記録ヘッドおよび記録ヘッド直下の導電パターンの電位を０Ｖ電位にすることにより、記録ヘッドを直接商用電源のグランドラインに直結でき、記録ヘッドの電気的構成が非常に簡易になり、異常状態における電気的安全性も向上する。また、異極性であるＶＰ１１電源４０６とＶＰ１２電源４０７の電圧の絶対値を等しくすることにより、各導電パターンに同じ吸着力を発生させる場合は、中点電位が０Ｖとなるため、これら電源の中点を同図のように接続することが可能になる。あるいは、異極性であるＶＰ１１電源４０６とＶＰ１２電源４０７の電圧の絶対値を異ならせることにより、各導電パターンに等しい吸着力を発生する場合においても、中点電位を０Ｖとすることにより電気的メリットを得ることができる。図２０は搬送ベルトを搬送方向側面から見た図である。同図において搬送ベルト１０５は矢印で示した用紙搬送方向に移動する。したがって、導電パターン２０２は搬送ベルト１０５の移動に伴なって用紙搬送方向に移動する。これに対し、記録ヘッド１２４および１２５とＶＰ１帯電ブラシ１３１およびＶＰ２帯電ブラシ１３２とは装置に対して固定された状態にある。これにより、記録ヘッドと同位置に配置されるＶＰ２帯電ブラシ１３２は、順次移動してくる導電パターン２０２に対し電極２０４を介してＶＰ２電源による電圧を荷電することが可能となる。さらに、ヘッド直下を通りすぎた導電パターン２０２に対しては、ＶＰ１帯電ブラシ１３１を介してＶＰ１１電源４０６またはＶＰ１２電源４０７による電圧を印加することが可能となる。すなわち、各ヘッドに関し、その直下の導電パターンに帯電ブラシ１３２を介して電圧が印加されるとき、その両側の導電パターンには帯電ブラシ１３１を介してＶＰ１１電源による２ｋＶまたはＶＰ１２電源による−２ｋＶのいずれかが印加されることになる。
【００２６】
以上のような構成において、被記録媒体を保持するための静電気力を生じさせるために被記録媒体の保持手段が所定の電位に保たれるものとする。この所定の電位を保持することによって生じる電界は、記録ヘッドとこれから吐出される液体が付与される被記録媒体上の部位との間に作用することがない。したがって、記録ヘッドから吐出されたインク等の液体が主液とサテライトに分離しても、これらの間に誘電分極を生じることがない。これにより、サテライトが被記録媒体と同極性となって被記録媒体から反発力を受けることがなくなり、主滴とともに被記録媒体側へ飛翔できる。
【００２７】
この結果、サテライトは記録ヘッドに吸着されることはなく、記録ヘッドの吐出口近傍に液滴が付着する確率が低くなる。従って、インク液滴の不吐出、よれが発生する確率が低下し安定したインク吐出状態が得られる。
【００２８】
また、記録ヘッドとその直下の導電パターンが例えば０Ｖ状態にあるとしても、記録ヘッド直下の上流側および下流側にある導電パターンに用紙吸着のための電圧が印加されていれば、記録ヘッド直下の導電パターン上においても用紙の密着性を維持できる。したがって用紙搬送においても、用紙の浮き上がりが発生せず。用紙のジャムも押さえることができる。すなわち、上述した構成を採ることにより、インク液滴の安定した吐出と安定した用紙搬送が可能となる。
【００２９】
静電吸着を利用して被記録媒体を搬送ベルトに密着させるものとして、特開２００４−９０５３３号公報（特許文献４）には、搬送ベルトを挟んで記録ヘッドとは反対側になる位置に固定電極部材を配置し、固定電極部材に電圧を印加するものが開示されている。図２１は、そのようなインクジェット記録装置を示している。被記録媒体は不図示の給紙部から給紙され、レジストローラ３９１でタイミングを合わせて、駆動ローラ３９０により回転させられている搬送ベルト部材３９３に供給される。ここで、搬送ベルト部材３９３を挟んで記録ヘッド３０５、３０６、３０７、３０８の反対側には、搬送ベルト部材３９３に接するように固定電極部材３９２が設けられている。固定電極部材３９２に対して電圧を印加することにより、搬送ベルト部材３９３上の被記録媒体と搬送ベルト部材３９３との間に静電気力による吸着力が発生し、被記録媒体が搬送ベルト部材３９３に吸着される。被記録媒体は、搬送ベルト部材３９３の回転とともに図示矢印方向に搬送され、記録ヘッド３０５、３０６、３０７、３０８に対向する位置においてこれらの記録ヘッドからインク滴の吐出を受ける。これによって、被記録媒体上に画像の形成が行なわれる。
【特許文献１】特開昭５０−３１８２８号公報
【特許文献２】特公平３−４８１００号公報
【特許文献３】特開平１１−２４５３８９号公報
【特許文献４】特開２００４−９０５３３号公報
【発明の開示】
【発明が解決しようとする課題】
【００３０】
上述したように、静電吸着によって被記録媒体を搬送するインクジェット記録装置においては、記録ヘッドから吐出されたインク滴が分裂してサテライトを生じ、そのサテライトが記録ヘッドに付着して吐出不良を引き起こすことがあるという課題がある。
【００３１】
この課題を解決するものとして上述の特許文献３（特開平１１−２４５３８９号公報）に記載のものがあるが、特許文献３に記載のものには、以下に述べるような課題がある。すなわち、導電パターンが直線状であり、記録ヘッド直下で導電パターンが０Ｖである場合には、ヘッド直下を記録紙先端、あるいは後端が通過する際に、先端部あるいは後端部全域において被記録媒体には吸着力は作用していない。その結果、搬送方向前方からの空気抵抗の影響を受ける被記録媒体先端（例えば用紙先端）においては、紙浮きを生じやすくなってしまう。紙浮きが生じると、被記録媒体のその部分が例えば記録ヘッドに接触するなどして、汚れの発生や印字品位の低下などが生じる。長尺ヘッドである記録ヘッドの構成として、コストダウンのために複数個のチップを千鳥に配列したようなヘッドの場合があり、ヘッドの搬送方向の幅が大きくなりがちである。そのような場合に、ヘッド直下に対し電界が働かないようにすると、広い範囲で用紙に吸着力が作用しない領域が生じてしまうこととなり、前述したように、用紙先端部または後端部において紙浮きを生じやすくなってしまうという課題が生じてくる。
【００３２】
本発明の目的は、被記録媒体を搬送し静電力によって吸着保持するインクジェット記録装置において、記録ヘッドの吐出口形成面にサテライトが付着することを防止し、高速印字が可能であって良好な記録を比較的長期にわたって維持できるようにすることにある。      
【００３３】
本発明でいうインクジェット記録装置には、静電吸着用の電極パターンが形成されている静電吸着搬送ベルトを用いるものも、搬送ベルト自体は電極を有さず、搬送ベルトの背面側に位置する固定電極部材を用いて静電吸着を行うものも含まれる。
【課題を解決するための手段】
【００３４】
本発明のインクジェット記録装置は、複数の電極を有する電極パターンが形成されている静電吸着搬送ベルトにより被記録媒体の搬送を行うインクジェット記録装置において、
電極パターンに対して電圧を印加するための給電部を備え、
給電部は被記録媒体の搬送方向に沿って複数の箇所で分割されており、分割された各給電部は、静電吸着搬送ベルトにおいて電極ごとに設けられた被給電部を介して電極パターンの中の対応する電極に電気的に接続し、
静電吸着搬送ベルトを動かしながら給電部を介して電極パターンに電圧を印加することにより被記録媒体を静電吸着搬送ベルトに静電吸着させて被記録媒体を搬送するに際し、被記録媒体の先端部の位置に対応する電極と被記録媒体の後端部の位置に対応する電極の少なくとも一方に対して給電するように制御が行われることを特徴とする。
【００３５】
あるいは本発明のインクジェット記録装置は、複数の電極を有する電極パターンが形成されている静電吸着搬送ベルトにより被記録媒体の搬送を行うインクジェット記録装置において、
静電吸着搬送ベルトに対向するように設けられて被記録媒体に対して記録を行う記録ヘッドと、
電極パターンに対して電圧を印加するための給電部と、
を備え、
給電部は被記録媒体の搬送方向に沿って複数の箇所で分割されており、分割された各給電部は、静電吸着搬送ベルトにおいて電極ごとに設けられた被給電部を介してパターンの中の対応する電極に電気的に接続し、
静電吸着搬送ベルトを動かしながら給電部を介して電極パターンに電圧を印加することにより被記録媒体を静電吸着搬送ベルトに静電吸着させて被記録媒体を搬送するに際し、電極パターンに含まれる電極のうち、被記録媒体の先端部の位置に対応する電極と被記録媒体の後端部の位置に対応する電極とを除く電極に対し、当該電極が記録ヘッドのノズル列に対向する位置にあるときには、ノズル列に対向する位置での被記録媒体の表面電位が接地電位となるように制御が行われることを特徴とする。
【００３６】
あるいは本発明のインクジェット記録装置は、複数の電極を有する電極パターンが形成されている静電吸着搬送ベルトにより被記録媒体の搬送を行うインクジェット記録装置において、
静電吸着搬送ベルトに対向するように設けられて被記録媒体に対して記録を行う記録ヘッドと、
電極パターンに対して電圧を印加するための給電部であって、被記録媒体の搬送方向に沿って複数の箇所で分割されており、分割された各給電部は、静電吸着搬送ベルトにおいて電極ごとに設けられた被給電部を介して電極パターンの中の対応する電極に電気的に接続する給電部と、
静電吸着搬送ベルトを動かしながら給電部を介して電極パターンに電圧を印加することにより被記録媒体を静電吸着搬送ベルトに静電吸着させて被記録媒体を搬送するに際し、電極パターンに含まれる電極のうち、被記録媒体の先端部の位置に対応する電極と被記録媒体の後端部の位置に対応する電極とを除く電極に対し、当該電極が記録ヘッドのノズル列に対向する位置にあるときには、ノズル列に対向する位置での被記録媒体の表面電位が接地電位となるように制御を行う制御部と、
を有することを特徴とする。
【００３７】
あるいは本発明のインクジェット記録装置は、被記録媒体に向けて液体を吐出することで記録を行うための記録ヘッドと、記録ヘッドに対向する位置を通過するように被記録媒体を搬送する搬送手段とを備えるインクジェット記録装置において、
記録ヘッドと対向する位置に設けられ、被記録媒体を静電気力によって吸着しする吸着力発生手段を有し、
吸着力発生手段は、被記録媒体を静電吸着するための第１の電圧値及び第２の電圧値がそれぞれ印加される第１の電極部材及び第２の電極部材と、記録ヘッドのノズル列に対向する位置に設けられた第３の電極部材とを備え、
搬送手段によって被記録媒体を駆動して吸着力発生手段の上で被記録媒体を滑り動かすことによって被記録媒体が搬送され、
第３の電極部材には、第３の電極部材に対応する位置における被記録媒体の表面電位が接地電位となるような第３の電圧値が印加されることを特徴とする。
【００３８】
あるいは本発明のインクジェット記録装置は、被記録媒体に向けて液体を吐出することで記録を行うための記録ヘッドと、記録ヘッドに対向する位置を通過するように被記録媒体を搬送する搬送手段とを備えるインクジェット記録装置において、
記録ヘッドと対向する位置に設けられ、被記録媒体を静電気力によって吸着しする吸着力発生手段を有し、
吸着力発生手段は、被記録媒体を静電吸着するための第１の電圧値及び第２の電圧値がそれぞれ印加される第１の電極部材及び第２の電極部材と、記録ヘッドのノズル列に対向する位置に設けられた第３の電極部材とを備え、
搬送手段によって被記録媒体を駆動して吸着力発生手段の上で被記録媒体を滑り動かすことによって被記録媒体が搬送され、
第３の電極部材には、３の電極部材に対応する位置に被記録媒体の先端部が位置しないときには被記録媒体の表面電位が接地電位となるような第３の電圧値が印加され、第３の電極部材に対応する位置に先端部が位置するときには被記録媒体を静電吸着するための第４の電圧値が印加されることを特徴とする。
【００３９】
上記のように構成された本発明のインクジェット記録装置は、静電吸着搬送を行う際に、極力吐出インクに対する電界の影響を無くし、かつ、最も紙浮きが生じやすい記録用紙先端または後端でも紙浮きを生じることがない。そのため、記録動作中にインクジェットヘッドをより記録紙に接近させることが可能となり、インク吐出時のヨレの影響による画像の乱れを極力少なくし、より高画質の記録が可能となる。
【発明の効果】
【００４０】
本発明によれば、静電吸着搬送ベルトを用いる場合に、ノズル列と対向する位置での被記録媒体（記録用紙）の吸着は、被記録媒体の先端部または後端部のみ行うようにすることができる。そのため、吐出インク滴に対する電界の影響は、被記録媒体の全域を静電吸着するときに比較して大幅に減少する。その一方で、最も紙浮きが生じやすい被記録媒体の先端部または後端部は常に吸着されるので、紙浮きの可能性が少なくなる。その結果、本発明によれば、記録動作中にインクジェット記録ヘッドをより被記録媒体（記録紙）に接近させることが可能となり、インク吐出時のヨレの影響による画像の乱れを極力少なくし、より高画質で、信頼性の高いインクジェット記録装置が得られる。
【００４１】
また、本発明によれば、固定電極部材上を搬送ベルトが移動するようにして被記録媒体を静電吸着しながら搬送する構成のインクジェット記録装置において、記録ヘッドと被記録媒体との間に電界が発生することを防ぐことができる。したがって、記録ヘッドの吐出口形成面へのミストの付着を軽減することができる。これにより、従来、記録ヘッドの吐出口形成面へのミストの付着が原因で発生していたインク滴の不吐出を防ぎ、被記録媒体上に形成される画像の劣化を生じさせることなく高画質な記録を行なうことが可能となる。
【発明を実施するための最良の形態】
【００４２】
次に、本発明の好ましい実施の形態について、図面を参照して説明する。以下に説明する各実施形態のインクジェット記録装置は、シート用紙などの被記録媒体すなわち記録材を搬送するものである。
【００４３】
《第１の実施形態》
図１は、本発明の第１の実施形態のインクジェット記録装置の要部を示す図である。この図は、インクジェット記録装置に設けられる記録材搬送装置の、被記録媒体である記録用紙を搬送するための搬送ベルトユニット２０近傍の構成を示している。また、図２ａは、この記録材搬送装置の搬送ベルトユニット２０を上方より見た外観図であり、ベルト内部に配置した電極と、搬送ベルトの内側に配置され電極へ電圧を印加するための給電ブラシを透過させて示している。
【００４４】
本実施形態のインクジェット記録装置は、大別すると、用紙搬送系とフルラインマルチヘッド系とによって構成されている。用紙搬送系は、記録用紙を主に静電気により吸着して搬送する搬送ベルト１で構成される搬送ベルトユニット２０よりなる。フルラインマルチヘッド系は、図中矢印の方向に搬送されてきた記録用紙にインクを吐出して印字を行う、不図示のヘッド枠体に保持された４色のフルラインヘッド６ａ〜６ｄで構成されている。フルラインヘッド６ａ〜６ｄは、いずれも記録用紙の横幅に相当する長さを有する長尺のインクジェット記録ヘッドである。
【００４５】
フルラインヘッド６ａ〜６ｄを保持する不図示のヘッド枠体は、不図示のモータにより上下方向に駆動される。記録を行わないときには、このヘッド枠体は、搬送ベルト１から離れて上方に退避する。そしてこのとき、搬送ベルト１とフルラインヘッド６ａ〜６ｄとの間の空間に、図示しないキャップユニットが配置され、フルラインヘッド６ａ〜６ｄのノズルが乾燥しないために個々のヘッドごとにキャップする。また、フルラインヘッド６ａ〜６ｄは、搬送ベルト１の用紙搬送方向（矢印の方向）に、上流側からブラック（Ｂｋ）、シアン（Ｃ）、マゼンタ（Ｍ）、イエロー（Ｙ）の順で並んでいる。
【００４６】
次に、図１〜３によって、搬送ベルト１および搬送ベルトユニット２０の構成について説明する。
【００４７】
図１、２に示すように、搬送ベルトユニット２０は、搬送ベルト１と駆動ローラ２と従動３とテンションローラ４を備えている。搬送ベルト１は、記録用紙を静電気により吸着して搬送する静電吸着搬送ベルトである。駆動ローラ２は、搬送ベルト１を駆動するものであって、不図示のモータと連結されている。従動ローラ３は、搬送ベルトの動きにより連れ回るローラである。テンションローラ４は、搬送ベルト１が駆動ローラ２と従動ローラ３の間でたるまないようにテンションを与えるためのものであり、搬送ベルト１は、駆動ローラ２、従動ローラ３及びテンションローラ４に巻きかけられている。駆動ローラ２と従動ローラ３との間の位置において、搬送ベルト１の外側から搬送ベルト１に対向するように、上述した４色のフルラインヘッド６ａ〜６ｄが配置している。
【００４８】
次に、静電吸着搬送ベルトである搬送ベルト１の構成について説明する。図３は、搬送ベルト１の一部の断面を示す。
【００４９】
搬送ベルト１は、樹脂材料からなるベルト基材９ｃに、導電性の金属からなる第１の電極９ａと第２の電極９ｂが埋め込まれ、表面全体を表層９ｄによりカバーされて構成されたものである。ベルト基材９ｃは、ポリエチレン、ポリカーボネード、ポリイミド等の高分子合成樹脂材料からなり、第１の電極９ａ及び第２の電極９ｂは、図２ａで示すようにいずれも短冊状の形状を有し、平行に複数個設置されている。電極９ａ、９ｂの幅、すなわち記録用紙２２の搬送方向での長さは、例えば、５ｍｍである。これに対し、電極９ａ、９ｂの長さ、すなわち記録用紙２２の搬送方向に直交する方向での長さは、記録用紙２２の横幅よりも長い程度のものとされている。これらの電極は、ベルト搬送方向とほぼ直交する方向で向かい合った櫛歯形状を構成している。そして、表層９ｄは、最適な静電気力を発生させるために、電気抵抗値の制御が可能なＰＶＤＦ（ポリフッ化ビニリデン）等のフッ素樹脂系の合成樹脂で構成されている。
【００５０】
また、搬送ベルト１の裏面（内側）には、第１の電極９ａの被給電部（第１被給電部）が搬送ベルト１の搬送方向の左端部側に、第２の電極９ｂの被給電部（第２被給電部）が搬送ベルト１の移動方向の右端部側に位置している。被給電部は対応する電極に対して外部から電圧を印加するために用いられる部位である。これらの被給電部は、ベルト基材９ｃに穴をあけて各電極９ａ、９ｂの表面が露出するようにして設けられている。また各被給電部に接触するように、搬送方向に複数個分割された導電性の給電ブラシ７ａ、７ｂが給電部として設けられ、それぞれ所定の圧力で被給電部に接触している。また、各給電ブラシ７ａ、７ｂは、不図示のフレームに固定され、不図示の高電圧発生器に接続されている。さらに、高電圧発生器は、制御部である不図示の高電圧制御装置によって、各給電ブラシ７ａ、７ｂから被給電部を経て電極９ａ、９ｂに印加される高電圧をコントロールしている。高電圧制御装置は、電極パターンに電圧を印加するための給電部である個々の給電ブラシごとに印加電圧を制御できるような構成となっている。給電ブラシ７ａ、７ｂによって、不図示の高電圧発生器から第１の電極９ａの被給電部にはゼロまたは正の高電圧（０．５〜１．５ｋＶ）が印加され、第２の電極９ｂの被給電部にはゼロまたは負の高電圧（−０．５〜−１．５ｋＶ）が印加される。なお、給電ブラシ７ａ、７ｂは、体積抵抗率が１０5Ω・ｃｍ以下の導電材料で構成されることが好ましい。
【００５１】
本明細書では、電位の基準（すなわちゼロ電位）として、インクジェット記録装置において電圧を印加することが想定されない部分全体（例えば筐体やフレーム）の電位を用いることとする。通常、このゼロ電位はインクジェット記録装置における接地電位である。もっとも、静電吸着に用いる電圧の絶対値は、数百Ｖ〜数ｋＶであるので、これと比べて無視できる程度の大きさの電位（例えば数Ｖ〜数十Ｖ）だけ接地電位からずれている電位であっても、ここでいうゼロ電位の範疇に含まれる。ゼロ電位とするのは、サテライトのフルラインヘッド側への戻りを防ぐためであるから、サテライトの戻りが生じない程度の低電圧であれば、厳密に接地電位である必要はない。このようなゼロ電位は、通常、高圧電源からの電極への電圧印加を停止することによって達成される。
【００５２】
各電極に高電圧が印加されると、図３ａで示すように、ベルト表層９ｄ内で、静電分極が起こり、搬送ベルト１の表面には、その下方にある電極と同じ極性の電位が現れる。このベルト表面に、記録用紙２２を戴置した状態を図３ｂに示す。表面に電位が現れた搬送ベルト１上に記録用紙２２を戴置すると、記録用紙２２内でも静電分極が生じ、搬送ベルト１の表面と逆の極性の電位が記録用紙２２の搬送ベルト１側表面に生じ、これによって、記録用紙２２は搬送ベルト１の表面に静電吸着される。このとき、記録用紙２２の搬送ベルト１と反対側の表面（図３ｂの上側）には、搬送ベルト１の表層９ｄと同様にその下方にある電極と同じ極性の電位が現れる。
【００５３】
図３ｃで示すように、電極９ａまたは電極９ｂの一部が、電圧が印加されていない給電ブラシ７ｃと接触し、電位０となったとき、電位０の電極近傍の搬送ベルト１の表層９ｄの静電分極は解消され、電位０の電極近傍の搬送ベルト表面の電位も０となる。さらに、記録用紙２２内の静電分極も解消され、同様に、電位０の電極近傍の記録用紙２２の表面の電位も０となる。このとき、図３ｃの搬送ベルト１の電極９ａの部分では、搬送ベルト１と記録用紙２２の間に吸着力は働かないこととなる。
【００５４】
図２ａでは、すべての給電ブラシ７ａ、７ｂから第１の電極９ａと第２の電極９ｂに高電圧が印加された状態をブラシの色を黒くすることで示している。また、高電圧がかけられていないその他の電極との違いが明確になるように、高電圧が印加されている電極には斜線模様をつけて表している。前述した結果から、この斜線模様を付けた（電極９ａ２〜９ａ９と電極９ｂ２〜９ｂ１０の領域）部分でのみ、記録紙に対する吸着力が働き、それ以外の部分では吸着力は働かないこととなる。ここで、搬送ベルト１が回転して、給電ブラシ７ａ、７ｂに対して、異なる電極が接触した場合を考える。その場合であって、給電ブラシ７ａ、７ｂの位置は固定されており変化しない。そのため、図２ａで示すようにすべての給電ブラシに高電圧が供給された場合の吸着力の発生する範囲は、搬送ベルト１の回転によって若干ずれることはあっても大きく変化することがなく、ほぼ斜線模様をつけた領域のみとなる。
【００５５】
また、図２ｂのように、電位０Ｖ（接地電位）の給電ブラシを白で表した場合には、電位０Ｖの給電ブラシと接触している電極９ａ４、９ａ７、９ｂ６、９ｂ９は、図３ｃの電位０Ｖとなっている電極９ａと同じ状態になっている。したがって、これらの電極部分の表面には電位は現れないと同時に、吸着力も作用しない。図においてこのように表面電位と吸着力の発生しない電極は、白で表すことにする。
【００５６】
次に、本実施形態で用いているフルラインヘッド６ａ〜６ｄの構成について、図４を用いて説明する。
【００５７】
図４は、フルラインヘッド６ａ〜６ｄを、吐出ノズル側から見た図であり、５１．２ｍｍ（２インチ）の長さのノズル（吐出口）列１０を２列有するノズルチップ５を有している。ノズルチップ５では、ノズル列１０は、ベースプレート２３上に、各ノズル列１０が用紙搬送方向と直行する方向に途切れないようにするために、千鳥状に配列している。各ノズルチップ５内で、１つのノズル列１０は、６００ｄｐｉの解像度でノズルが配列されており、もう一列のノズル列１０も６００ｄｐｉの解像度でノズルが配置されている。２つのノズル列１０がノズル列方向に相互に半ピッチずらして配置されているので、１つのつのノズルチップ５としては、１２００ｄｐｉの解像度でノズルが配列されていることになる。ここでｄｐｉは、解像度の単位であって、２５．４ｍｍ（１インチ）の長さ内に何個のドットが配置されているかを示している。したがって、フルラインヘッド１本では、１２００ｄｐｉで２０３．２ｍｍ（８インチ）の幅すなわち、ほぼＡ４版用紙の横幅を一度に記録できる構成となっている。
【００５８】
次に、本実施形態において、記録用紙２２を搬送ベルトユニット２０で吸着して搬送しながら、フルラインヘッド６ａ〜６ｄでインクを吐出させて記録用紙２２上に画像を形成するときにおける印加電圧の制御について説明する。図５ａ〜５ｓは、このときどのように印加電圧を制御し、どの部分で吸着力が働くのかを順を追って説明する図である。
【００５９】
図５ａ〜５ｓは、搬送ベルト１が回転するときに、固定されている給電ブラシ７ａ、７ｂと搬送ベルト１とともに回転する第１及び第２の電極９ａ、９ｂの端部にある被給電部との接触状態が少しずつ変化した各段階における各電極の通電状態を示している。これらの図では、高電圧が印加された給電ブラシが黒で表されているとともに、給電ブラシを介して高電圧が印加されて吸着力が発生し、記録用紙２２の表面に電位が現れる電極を斜線が示されている。また、図５ａ〜５ｓでは、フルラインヘッド６ａ〜６ｄのベースプレート２３、ノズルチップ５、各ノズル列１０も、各電極との位置関係がわかるように重ねて示している。図５ａから分かるように、電極９ａ、９ｂは、ノズルチップ５の搬送方向に配列されている間隔とほぼ同じ間隔で搬送ベルト１内に形成され、給電ブラシは、各電極に対し２〜３箇所接触するくらいに細かなピッチで搬送方向に配列されている。
【００６０】
図５ａは、搬送ベルトユニット２０の上流側にある不図示の搬送装置等によってタイミングを調節されて、記録用紙２２が搬送ベルト１で搬送可能となる直前まで搬送されてきた状態を示している。このとき、不図示の駆動モータによって駆動力が駆動ローラ２に伝達されることによって、搬送ベルト１の回転駆動が開始しているが、記録用紙２２の先端は給電ブラシ７ａ、７ｂのある位置にまで達していない。したがってこのときは、すべての給電ブラシには、静電吸着用の高電圧が印加されておらず、すべての電極には、吸着力が働いていない。
【００６１】
次に、図５ａの状態からわずかに（給電ブラシ１個分程度の長さだけ）記録用紙２２が搬送された状態を図５ｂに示す。このとき、記録用紙２２の先端が、給電ブラシ７ａ、７ｂの搬送方向の最も上流側の位置にまで達している。搬送ベルトユニット２０の上流にある搬送装置から搬送ベルトユニット２０へ記録用紙が送り出されるタイミングから、記録用紙２２が搬送されている搬送ベルト１上の位置に応じて給電ブラシに高電圧が印加されるように、高電圧制御装置によって制御する。各給電ブラシ７ａ、７ｂから電極９ａ、９ｂに印加される高電圧として、給電ブラシ７ａと接する電極９ａには、＋１．０ｋＶの電圧が印加され、反対側の給電ブラシ７ｂと接する電極９ｂには、−１．０ｋＶの電圧が印加される。このように、搬送ベルトユニット２０は、各電極に高電圧を印加することによって、記録用紙２２に対し吸着力を発生するようにしている。
【００６２】
次に、図５ｃで示す位置にまで記録用紙２２が搬送されたときには、黒で示す給電ブラシ７ａから電極９ａ１０に高電圧が印加され、斜線で示す電極９ａ１０の部分で吸着力が発生することになる。なお、電極９ａ１０は、記録用紙２２の最も先端部の位置に対応する電極である。搬送ベルト１の回転が進んでも、電極９ａ１０は、記録用紙２２の最も先端部の位置の電極であり続ける。
【００６３】
さらに搬送動作が進んで図５ｄで示す位置にまで記録用紙２２が搬送されたとき、記録用紙２２が存在する位置にある黒で示す給電ブラシ７ａ、７ｂを介して、電極９ａ１０、９ｂ１１に高電圧が印加される。さらに進んで図５ｅに示す段階では、斜線で示す３本の電極９ａ１０、９ｂ１１、９ａ１１に高電圧が印加されることとなり、記録用紙２２は、搬送ベルトユニット２０により、その先端部分が完全に吸着されて搬送されることになる。
【００６４】
図５ｆは、記録用紙２２の先端が、第１番目のフルラインヘッド６ａの搬送方向上流側のノズル列１０の位置を通過したところを示している。上述したように、ノズル列に対向する位置で電極に静電吸着用の高電圧を印加した場合、記録用紙の表面に電位が発生し、吐出されたインク滴が分裂してノズル列の方向に引き戻されることがある。本実施形態では、記録用紙２２の先端部がノズル列１０に対向する位置を通過する際には、記録用紙２２の先端部に浮きを生じないようにするため、先端部を吸着している電極には高電圧を印加し続けるように高圧制御装置によって制御する。そして、図５ｇで示す位置まで記録用紙２２が搬送されたときには、前述したように記録用紙２２の先端部を吸着している電極９ａ１０には電圧を印加しつづける。しかしながら、記録用紙の先端部以外を吸着している電極（図５ｇでは電極９ｂ１１）が、ノズル列１０に対向する位置に来たとき、高圧制御装置によって、その電極に印加する電圧を０Ｖとし、記録用紙２２の表面に電位が発生しないようにする。こうすることによって、ノズル列から吐出されたインク滴は、電界の影響を受けることなく記録用紙２２へ吐出され、正常に画像が形成されることとなる。
【００６５】
そして、図５ｈで示す位置にまで記録用紙２２が搬送されたときには、記録用紙２２の先端は、フルマルチヘッド６ａと６ｂの間の位置にまで達している。このとき、記録用紙先端を吸着している電極９ａ１０には＋１．０ｋＶの高電圧が印加されつづけ、ノズル列１０と対向する位置にある電極９ｂ１１、９ａ１１には、高電圧は印加されない。このように、高電圧が印加されないで吸着力が発生しない部分があったとしても、その前後の部分では記録用紙２２は必ず吸着されている。吸着力が発生しない部分は記録用紙２２の先端部あるいは後端部ではないので、記録用紙２２に紙浮きを生じることはない。
【００６６】
以下同様に、図５ｉ〜５ｌで示すように、高圧制御装置は、記録用紙２２の最も先端部を吸着している電極９ａ１０については、その電極がノズル列１０に対向する位置に来たとしても、高電圧を印加し続ける。その一方で、高圧制御装置は、先端部以外を吸着している電極については、その電極がノズル列１０と対向する位置に来た時には。記録用紙２２の表面電位が０Ｖとなるようにする。具体的には、その電極に対する高電圧印加を停止する。そして高圧制御装置は、先端部以外を吸着している電極について、ノズル列と対向しない位置あるときには、記録用紙２２を吸着可能なように印加電圧を制御する。
【００６７】
次に図５ｍで示すように、記録用紙２２の先端が、給電ブラシ７ａ、７ｂが存在しない位置にまで搬送されたときには、その記録用紙２２は、搬送ベルトユニット２０の下流側にある搬送装置とによって搬送されることになる。そのときには、電極９ａ１０にはもはや高電圧は印加されなくなる。これに対して記録用紙２２が存在する位置の給電ブラシは、それまでと同様に高圧制御装置によって印加電圧を制御され、吐出インクに電界の影響なく、かつ、紙浮きを生じることなく記録用紙２２を搬送し続ける。
【００６８】
次に、図５ｎで示すように、記録紙の最も後端を吸着している電極９ａ２６がノズル列１０と対向する位置に来たとき、記録用紙２２の後端部は先端部と同様に紙浮きを生じやすいため、この電極９ａ２６には高電圧は印加し続けるように制御する。そして、図５ｏ〜５ｑで示すように、記録用紙２２の搬送がさらに進行しても同様の制御は続けられ、記録用紙２２が存在しない位置の電極に対しては高電圧は一切印加されることがないように、制御部である高電圧制御装置は制御を実行する。
【００６９】
その後、図５ｒ、５ｓで示すように、記録用紙２２は、搬送ベルトユニット２０から排出されて下流側の搬送装置に搬送されることになる。図５ｓでは、記録用紙２２の後に引き続いて別の記録用紙が搬送される様子は示していないが、連続して記録用紙が搬送される場合には、図５ａから図５ｓまでの状態を繰り返すことになる。したがって、高電圧が印加されたノズル列１０に対して対向するのは、記録用紙の先端または後端が通過するときのみである。それ以外の場合には、ノズル列１０に対向する位置の記録用紙２２の表面の電位は常に０の状態であるので、ノズルから吐出されたインク滴は、電界の影響を受けることなく正常に吐出されることになる。
【００７０】
本実施形態では、電極の幅（記録用紙２２の搬送方向での電極の長さ）を５ｍｍとしている。したがって、記録用紙の先端部と後端部のそれぞれ約５ｍｍの領域に画像を記録するときにのみ、吐出インクが電界の影響を受けることになる。通常の場合、この領域には画像データが存在しないことがほとんどであり、この領域に対してインクが吐出されることは極まれである。したがって、記録用紙の先端部あるいは後端部が記録ヘッドに対向する位置を通過する際に、その位置において静電吸着用の高電圧を電極に印加して静電吸着を行い続けたとしても、インク吐出の可能性が少ないことから、吐出不良を生じる可能性も少なくなる。一方で記録用紙において最も浮きが生じやすいのは、記録用紙の先端部または後端部であり、上述したように電極に高電圧を印加することによって、先端部及び後端部の両方とも、印字動作中は確実に吸着されることとなる。
【００７１】
以上のように、本実施形態のインクジェット記録装置は、記録紙の浮きを確実に防止し、かつ、電界の影響による吐出不良をほとんど生じさせないので、より高画質での記録を実現することを可能にする。
【００７２】
《第２の実施形態》
次に、本発明の第２の実施形態のインクジェット記録装置について説明する。
【００７３】
第２の実施形態のインクジェット記録装置は、第１の実施形態の装置と同一の構成のものであるが、記録用紙の先端または後端に対応する電極に対して印加される電圧の点で、第１の実施形態のものと異なっている。すなわち、記録用紙の先端部あるいは後端部がノズル列と対向する位置にあるときには、それら先端部あるいは後端部に対応する電極に印加する電圧をそれ以外のときよりも小さくする。このことは、先端部あるいは後端部に対応する電極に対し、搬送ベルトに設けられている電極のうちの記録用紙の先端部あるいは後端部に対応する電極以外の電極に印加されている電圧よりも小さな電圧を印加することを意味する。どの程度電圧を小さくするかは、記録用紙の紙質や厚さにも依存するが、静電吸着の吸着力がなくならない程度のものとする。
【００７４】
本実施形態は、静電吸着における吸着力が強く発生する、すなわち静電吸着されやすい、平滑度の高い記録用紙を搬送する場合に有効である。このような記録用紙は、印加電圧が弱くても吸着しやすいので、その先端部あるいは後端部がノズル列と対向する位置にあるときのみ、印加電圧を吸着力がなくならない程度に弱くすることで、さらに吐出インクに対し電界の影響をなくすことができる。したがって、電圧変化を行わない従来の記録装置に比べ、より高品位な画像形成が可能となる。
【００７５】
《第３の実施形態》
次に本発明の第３の実施形態のインクジェット記録装置について説明する。
【００７６】
第３の実施形態のインクジェット記録装置は、第１の実施形態の装置と同一の構成のものであるが、記録用紙の先端または後端に対応する電極に対して印加される電圧の点で、第１の実施形態のものと異なっている。すなわち、記録用紙の先端部あるいは後端部がノズル列と対向する位置にあるときには、それら先端部あるいは後端部に対応する電極に印加する電圧をそれ以外のときよりも大きくする。このことは、先端部あるいは後端部に対応する電極に対し、搬送ベルトに設けられている電極のうちの記録用紙の先端部あるいは後端部に対応する電極以外の電極に印加されている電圧よりも大きな電圧を印加することを意味する。どの程度電圧を大きくするかは、記録用紙の紙質や厚さにも依存するが、記録用紙端部でも十分な静電吸着力が得られる程度のものとする。
【００７７】
本実施形態は、吸着力が強く発生しない平滑度の低い記録紙を搬送する場合や、低温低湿環境で、吸着力が働きにくい場合に有効である。第１の実施形態において説明したように、記録用紙の先端部あるいは後端部に対しては、あまり多くの画像が形成されることはなく、印加電圧を強くしても吐出不良を生じる可能性が少ない。したがって、記録用紙の先端部あるいは後端部を吸着するときのみ印加電圧を大きくすることで、吸着力を発生しにくい記録用紙であったり環境条件の場合であっても、記録用紙に浮きを生じることなく確実な用紙の搬送が可能となる。本実施形態によれば、より信頼性の高いインクジェット記録装置を提供することが可能となる。
【００７８】
《第４の実施形態》
本発明に基づくインクジェット記録装置は、移動する搬送ベルトに対して被記録媒体である記録用紙を吸着させる構成のものに限定されるものではない。搬送手段であるローラ対で被記録媒体を挟持し、このローラ対を回転駆動することで被記録媒体を搬送するインクジェット記録装置に対しても本発明は適用可能である。このような構成のインクジェット記録装置では、紙浮きを防止し、被記録媒体と記録ヘッドとの間隔を一定に保つために、記録ヘッドに対向するように平板状の吸着力発生手段を配置し、搬送中の被記録媒体が吸着力発生手段に静電吸着されるようにしている。被記録媒体は、吸着力発生手段の表面を吸着されながら滑り動くことになる。そしてこのインクジェット記録装置では、記録ヘッドへのサテライトの付着を防ぐために、記録ヘッドのノズル列と被記録媒体との間の電界がほぼ０となるようにしている。
【００７９】
図６は、本実施形態のインクジェット記録装置の要部の構成を示す図であり、図７は、このインクジェット記録装置において用いられる吸着力発生手段３００を上から見た図である。これらの図には示されていないが、記録ヘッドは、被記録媒体３０１の搬送経路を挟んで、吸着力発生手段３００の上方に、吸着力発生手段３００と対向するように配置されている。記録ヘッドは、上述の各実施形態の場合と同様に、被記録媒体３０１の横幅とほぼ同じ幅を有する長尺ヘッドである。
【００８０】
吸着力発生手段３００の表面あるいは表面直下の内部には、被記録媒体３０１の搬送方向に直交する方向に延びる短冊状の第１の電極部材３１０、第２の電極部材３１１及び第３の電極部材３１２が設けられている。これらの電極部材３１０〜３１２は、被記録媒体３０１の搬送方向に向かって繰り返し配置している。ここで第３の電極部材３１２は、不図示の記録ヘッドのノズル列と対向する位置に設けられている。第１の電極部材３１０は、第１の電圧値が印加される入力端子３１３に電気的に接続し、入力端子３１３から静電吸着のための電荷が供給される。第２の電極部材３１１は、第２の電圧値が印加される入力端子３１４に電気的に接続し、入力端子３１４から静電吸着のための電荷が供給される。同様に第３の電極部材３１２は、第３の電圧値が印加される入力端子３１５に電気的に接続し、入力端子３１５から静電吸着のための電荷が供給される。このようにして各電極部材３１０〜３１２に電圧が印加されて電圧が供給されることにより、被記録媒体３０１が静電気力によって吸着力発生手段３００に吸着されることになる。
【００８１】
被記録媒体３０１は、搬送用の図示されたローラ対３０２、及び不図示の他の複数のローラ対によって、吸着力発生手段３００上を図中矢印の向きに搬送される。ここで、例えば、入力端子３１３には第１の電圧値として＋１ｋＶを、入力端子３１４には第２の電圧値として−１ｋＶを印加することにより、良好な吸着力を発生させることができる。記録ヘッドのノズル列と対向する位置に設けられた第３の電極部材３１２には、入力端子１５から０Ｖを印加することで、ノズル列と被記録媒体間の電界をほぼ０に保つことができ、記録ヘッドの吐出口形成面へのサテライトの付着を軽減することが可能となる。ここで述べた電圧値は説明のための一例であり、本発明がこの電圧値に限定されるものではないことはいうまでもない。本実施形態では、被記録媒体３０１と記録ヘッドとの間の電界をほぼ０にする、すなわち、記録ヘッドのノズル列の位置において記録ヘッドと被記録媒体３０１との間が、実質的に無電界状態となればよい。したがって、第３の電圧値は必ずしも０Ｖである必要はなく、数Ｖあるいは数十Ｖ程度の電圧であってもよい。
【００８２】
また上述では、第３の電極部材３１２は単純な短冊形状であるものとしたが、記録ヘッドにおけるノズル列の配置に基づいて、第３の電極部材３１２の形状を単純な短冊形状から異ならせることもできる。図８〜１０は、ノズル列の配置に基づいて第３の電極部材３１２の形状を変化させた例を示す図である。図８は、このような第３の電極部材３１２を有する吸着力発生手段３００を上面から見た図であり、図９は、ここで用いられる記録ヘッドを概要を示す図である。
【００８３】
ここに示す例では、第３の電極部材３１２は、不図示の記録ヘッドのノズル列と対向する位置において、記録ヘッドにおけるノズル列の配置に基づいて、被記録媒体３０１の横幅方向に延びる細長い矩形部分を２列交互に千鳥配列で配置した構成を有する。このような第３の電極部材３１２は、単純な短冊状の第１の電極部材３１０及び第２の電極部材３１１の領域内に配置されている。上述の場合と同様に、入力端子３１３、３１４、３１５から、それぞれ第１の電極部材３１０、第２の電極部材３１１、第３の電極部材３１２に電荷が供給される。
【００８４】
記録ヘッドは、図９に示すように、記録ノズル列が形成された記録素子チップ３０３を複数備えたものであり、複数の記録素子チップ３０３は、長尺ヘッドの長手方向に延びるベース部材３０４上で、２列に千鳥配列で配置されている。このインクジェット記録装置では、ノズル列が千鳥状に配列されていることに対応して、ノズル列と対向する位置に設けられる第３の電極部材３１２も上述したような千鳥配列の形状を有するものとされている。第３の電極部材３１２を図８に示した形状とした場合には、以下に述べるように、被記録媒体３０１の吸着に良好な効果をもたらす。
【００８５】
図１０は、図８に示した形状を有する第３の電極部材３１２を用いた場合における、吸着力発生部材３００への被記録媒体３０１の静電吸着を説明する図である。ここで図１０（ａ）は、第３の電極部材３１２の形状が上述の図８に示すものであるときを示し、図１０（ｂ）は、第３の電極部材３１２の形状が図７に示すものであるときを示している。図１０（ａ）に示す場合において、図中矢印に被記録媒体３０１を搬送したときに、被記録媒体３０１の先端部が第３の電極部材３１２にかかり始めたものとする。このときに、被記録媒体３０１の先端部形状と、第３の電極部材３１２が千鳥配列の形状となってるために、被記録媒体３０１の先端の一部は第１の電極部材３１０上に位置することになる。第１の電極部材３１０には例えば＋１ｋＶ、第３の電極部材３１２には０Ｖが印加されているものとする。この場合、被記録媒体３０１の先端部の全領域が第１の電極部材３０１上に位置する場合に比較すれば小さいが、被記録媒体３０１とながらも吸着力が発生する。これにより、被記録媒体先端の浮きを防止することができる。
【００８６】
図１０（ｂ）に示したように第３の電極部材３１２が単純な短冊形状であるとすると、被記録媒体３０１の先端部形状と第３の電極部材３１２の形状とがほぼ等しいために、被被記録媒体３０１先端部の全領域が第３の電極部材３１２上に位置することになる。第３の電極部材３１２には０Ｖが印加されているので、このとき、被記録媒体３０１の先端の位置では吸着力が発生せず、したがって、被記録媒体３０１先端部における紙浮きが発生しやすくなる。ここでは図示しないが、被記録媒体３０１の後端部についても、図１０（ａ）に示す電極形状であれば吸着力が発生するのに対し、図１０（ｂ）に示す電極形状のときには吸着力が発生しない。
【００８７】
したがって、複数の記録素子チップ３０３を複数列に千鳥配列に配置した記録ヘッドを用いる場合には、吸着力発生手段３００において、第３の電極部材３１２の形状を図８に示すようなものとすることが望ましい。なお、第３の電極部材３１２の形状は、図８に示したもの限られるものではなく、ノズル列と対向する位置に配置され、かつ被記録媒体３０１の端部と異なる形状をしているために上述したような効果が得られる形状であればよい。
【００８８】
本実施形態は、ローラ対を用いて被記録媒体を搬送するインクジェット記録装置において、記録ヘッドのノズル列と対向する位置に、第３の電圧値を印加する第３の電極部材を設け、ノズル列と被記録媒体との間の電界をほぼ０にすることを特徴とする。
【００８９】
《第５の実施形態》
上述の第４の実施形態において、吸着力発生手段と被記録媒体との間に搬送ベルト部材を配置し、搬送ベルト部材に被記録媒体を吸着させるとともに、搬送ベルト部材を駆動して搬送ベルト部材とともに被記録媒体が搬送される構成とすることができる。このとき、吸着力発生手段は移動せず、したがって、吸着力発生手段と記録ヘッドとの位置関係は固定されている。被記録媒体への吸着力は、吸着力発生手段に印加された電圧によって生じるものである。
【００９０】
図１１は、このような構成のインクジェット記録装置の要部の構成を示している。搬送ベルト部材３６０は、被記録媒体３００の搬送路における記録領域の下流側に設けられた不図示の駆動ローラと上流側に設けられた従動ローラ３６１との間に架け渡されており、駆動ローラの回転運動に伴って周回する。吸着力発生手段３００は、搬送ベルト部材３６０による周回の内側で、記録ヘッドと対向する位置に固定されている。不図示の電力供給手段から電力が供給されることにより、吸着力発生手段３００の上方の搬送ベルト部材３６０と被記録媒体３０１との間に静電吸着力が発生する。吸着力発生手段３０１の構成は、第４の実施形態の場合と同様であるため詳細な説明は省略するが、第４の実施形態と同様に、ノズル列と対向する位置に第３の電極部材３１２を有している。第３の電極部材３１２には、ノズル列と被記録媒体３０１との間の電界をほぼ０にするための第３の電圧値が印加されている。第３の電極部材の形状に関しては、第４の実施形態と同様である。
【００９１】
本実施形態は、搬送ベルト部材を用いて被記録媒体を搬送するインクジェット記録装置において、記録ヘッドのノズル列と対向する位置に、第３の電圧値を印加する第３の電極部材を設け、ノズル列と被記録媒体との間の電界をほぼ０にすることを特徴とする。
【００９２】
《第６の実施形態》
上述の第４及び第５の実施形態の構成において、被記録媒体の搬送タイミングに同期して第３の電極部材に印加する電圧値を制御することが可能である。ここでは、図１２を用いて、第３の電極部材に印加される電圧値の制御について説明する。図１２は、本実施形態での制御フローを示す図である。
【００９３】
ステップ３７０において被記録媒体３０１の搬送の開始が確認されると、ステップ３７１において、第３の電極部材３１２の上部に被記録媒体３０１の先端領域が存在するかどうかを確認する。第３の電極部材３１２の上部に被記録媒体３０１の先端領域が存在するかどうかの判断は、被記録媒体検知手段を記録装置内に設けて検知する方法でもよいし、あるいは被記録媒体を搬送する搬送ベルト部材やローラ対の回転数をカウントする方法でもよい。あるいは、その両方を併用する方法もある。第３の電極部材３１２の上部に被記録媒体の先端領域が存在しないと判断された場合には、ステップ３７２の処理に移行し、第３の電極部材の上部に被記録媒体の先端領域が存在すると判断された場合には、ステップ３７３の処理に移行する。
【００９４】
ステップ３７２では、第３の電極部材３１２に、ノズル列と被記録媒体３０１との間の電界がほぼ０になるような第３の電圧値を印加し、その後、ステップ３７４に移行して搬送終了を確認する。ステップ３７３では、第３の電極部材に、被記録媒体を吸着するための第４の電圧値を印加し、その後、ステップ３７４に移行して搬送終了を確認する。ステップ３７４で搬送終了が確認されるまで、ステップ３７１の確認、およびステップ３７２、ステップ３７３の処理を繰り返す。
【００９５】
このような制御を行なうことで、ノズル列と被記録媒体間の電界の影響によって記録ヘッドの吐出口形成面にサテライトが付着することを軽減させつつ、かつ被記録媒体の先端部の浮きを回避することができる。
【００９６】
本実施形態は、ローラ対あるいは搬送ベルト部材を用いて被記録媒体を搬送するインクジェット記録装置において、記録ヘッドのノズル列と対向する位置に第３の電極部材を設けるともに、第３の電極部材に印加される電圧を制御することを特徴とする。具体的には、第３の電極部材上に被記録媒体の先端領域が存在しない場合には、ノズル列と被記録媒体間の電界がほぼ０になるような第３の電圧値を第３の電極部材に印加する。一方、第３の電極部材上に被記録媒体の先端領域が存在する場合には、被記録媒体を吸着するための第４の電圧値を第３の電極部材に印加する。
【図面の簡単な説明】
【００９７】
【図１】本発明の第１の実施形態のインクジェット記録装置における搬送ベルトユニット近傍の構成を説明する側面図である。
【図２ａ】第１の実施形態の装置における搬送ベルトユニットの構成と吸着可能領域を説明する平面図である。
【図２ｂ】第１の実施形態での搬送ベルトユニットの構成と吸着可能領域を説明する平面図である。
【図３ａ】第１の実施形態での搬送ベルトの構成と吸着原理を説明する図である。
【図３ｂ】第１の実施形態での搬送ベルトの構成と吸着原理を説明する図である。
【図３ｃ】第１の実施形態での搬送ベルトの構成と吸着原理を説明する図である。
【図４】第１の実施形態のインクジェット記録装置で用いるフルラインヘッドの構成を説明する図である。
【図５ａ】第１の実施形態での用紙搬送の状態と吸着領域を説明する図である。
【図５ｂ】第１の実施形態での用紙搬送の状態と吸着領域を説明する図である。
【図５ｃ】第１の実施形態での用紙搬送の状態と吸着領域を説明する図である。
【図５ｄ】第１の実施形態での用紙搬送の状態と吸着領域を説明する図である。
【図５ｅ】第１の実施形態での用紙搬送の状態と吸着領域を説明する図である。
【図５ｆ】第１の実施形態での用紙搬送の状態と吸着領域を説明する図である。
【図５ｇ】第１の実施形態での用紙搬送の状態と吸着領域を説明する図である。
【図５ｈ】第１の実施形態での用紙搬送の状態と吸着領域を説明する図である。
【図５ｉ】第１の実施形態での用紙搬送の状態と吸着領域を説明する図である。
【図５ｊ】第１の実施形態での用紙搬送の状態と吸着領域を説明する図である。
【図５ｋ】第１の実施形態での用紙搬送の状態と吸着領域を説明する図である。
【図５ｌ】第１の実施形態での用紙搬送の状態と吸着領域を説明する図である。
【図５ｍ】第１の実施形態での用紙搬送の状態と吸着領域を説明する図である。
【図５ｎ】第１の実施形態での用紙搬送の状態と吸着領域を説明する図である。
【図５ｏ】第１の実施形態での用紙搬送の状態と吸着領域を説明する図である。
【図５ｐ】第１の実施形態での用紙搬送の状態と吸着領域を説明する図である。
【図５ｑ】第１の実施形態での用紙搬送の状態と吸着領域を説明する図である。
【図５ｒ】第１の実施形態での用紙搬送の状態と吸着領域を説明する図である。
【図５ｓ】第１の実施形態での用紙搬送の状態と吸着領域を説明する図である。
【図６】本発明の第４の実施形態のインクジェット記録装置の要部の構成を示す図である。
【図７】第４の実施形態で用いられる吸着力発生手段の平面図である。
【図８】第３の電極部材の形状が異なる吸着力発生手段の平面図である。
【図９】記録ヘッドの構成の概略を示す図である。
【図１０】被記録媒体の先端領域の吸着を説明する図である。
【図１１】本発明の第５の実施形態のインクジェット記録装置の要部の構成を示す図である。
【図１２】本発明の第６の実施形態のインクジェット記録装置での制御を示すフローチャートである。
【図１３】ローラ対を用いた被記録媒体搬送手段を備えた記録装置を説明する図である。
【図１４】（ａ）は電界がない場合での液滴が飛翔する様子を示す図であり、（ｂ）は電界がある場合での液滴が飛翔する様子を示す図である。
【図１５】静電吸着を用いる搬送ベルトユニットを備えた従来のインクジェット記録装置を説明する図である。
【図１６】（ａ）〜（ｄ）は、電界中で吐出されたインク滴が分裂してノズル方向へサテライトが反転する様子を説明する図である。
【図１７】（ａ）〜（ｃ）は、従来のインクジェット記録装置において用いられる搬送ベルトの構成を説明する図である。
【図１８】従来のインクジェット記録装置における搬送ベルトへの給電方法を説明する図である。
【図１９】従来のインクジェット記録装置における搬送ベルトへの給電方法を説明する図である。
【図２０】従来のインクジェット記録装置における搬送ベルトへの給電方法を説明する図である。
【図２１】静電吸着を利用した従来の別のインクジェット記録装置を示す図である。
【符号の説明】
【００９８】
１    搬送ベルト
２    駆動ローラ
３    従動ローラ
４    テンションローラ
５    ノズルチップ
６ａ〜６ｄ    フルラインヘッド
７ａ、７ｂ    給電ブラシ
９ａ、９ｂ    電極
９ｃ    表層
９ｄ    ベルト基材
１０    ノズル列
２０    搬送ベルトユニット
２１    吸着領域
２２    記録用紙
２３    ベースプレート
３０１    被記録媒体
３０２    ローラ対
３０３    記録素子チップ
３０４    ベース部材
３０５〜３０８    記録ヘッド
３１０〜３１２    電極部材
３１３〜３１５    入力端子
３６０    搬送ベルト部材
【図１】
2009234736.tif 000003
【図２ａ】
2009234736.tif 000004
【図２ｂ】
2009234736.tif 000005
【図３ａ】
2009234736.tif 000006
【図３ｂ】
2009234736.tif 000007
【図３ｃ】
2009234736.tif 000008
【図４】
2009234736.tif 000009
【図５ａ】
2009234736.tif 000010
【図５ｂ】
2009234736.tif 000011
【図５ｃ】
2009234736.tif 000012
【図５ｄ】
2009234736.tif 000013
【図５ｅ】
2009234736.tif 000014
【図５ｆ】
2009234736.tif 000015
【図５ｇ】
2009234736.tif 000016
【図５ｈ】
2009234736.tif 000017
【図５ｉ】
2009234736.tif 000018
【図５ｊ】
2009234736.tif 000019
【図５ｋ】
2009234736.tif 000020
【図５ｌ】
2009234736.tif 000021
【図５ｍ】
2009234736.tif 000022
【図５ｎ】
2009234736.tif 000023
【図５ｏ】
2009234736.tif 000024
【図５ｐ】
2009234736.tif 000025
【図５ｑ】
2009234736.tif 000026
【図５ｒ】
2009234736.tif 000027
【図５ｓ】
2009234736.tif 000028
【図６】
2009234736.tif 000029
【図７】
2009234736.tif 000030
【図８】
2009234736.tif 000031
【図９】
2009234736.tif 000032
【図１０】
2009234736.tif 000033
【図１１】
2009234736.tif 000034
【図１２】
2009234736.tif 000035
【図１３】
2009234736.tif 000036
【図１４】
2009234736.tif 000037
【図１５】
2009234736.tif 000038
【図１６】
2009234736.tif 000039
【図１７】
2009234736.tif 000040
【図１８】
2009234736.tif 000041
【図１９】
2009234736.tif 000042
【図２０】
2009234736.tif 000043
【図２１】
2009234736.tif 000044